(57)【要約】【課題】ユーザにとっての最適な温度を効率的かつ高精度に設定可能な空気調和機のリモコンを提供する。【解決手段】空気調和機のリモコンは、複数の異なる刻み幅で温度の設定を受け付ける設定受付部、を備える。例えば、温度範囲を設定して、その温度範囲内では、細かい刻み幅で温度を設定できるようにしてもよい。あるいは、設定温度の桁を選択して、任意の桁について設定可能としてもよい。【選択図】図２
2020143839.tif 000002
【特許請求の範囲】
【請求項１】
空気調和機のリモコンであって、
複数の異なる刻み幅で設定温度の入力を受け付ける設定受付部、
を備えるリモコン。
【請求項２】
前記設定受付部は、
第１の刻み幅で前記設定温度の入力が可能な第１の温度範囲と、前記第１の刻み幅より細かい第２の刻み幅で前記設定温度の入力が可能な第２の温度範囲と、を定めた設定情報に基づいて、前記設定温度の入力を受け付ける、
請求項１に記載のリモコン。
【請求項３】
前記第２の温度範囲の設定の入力を受け付ける温度範囲設定部、
をさらに備える請求項２に記載のリモコン。
【請求項４】
ユーザの操作履歴に基づいて、前記第２の温度範囲を学習する学習部、
をさらに備える請求項２または請求項３に記載のリモコン。
【請求項５】
前記設定温度を表示する表示部と、
ユーザの操作に基づいて、前記表示部に表示された設定温度における設定対象の桁を決定する桁決定部と、
をさらに備える請求項１に記載のリモコン。
【請求項６】
前記設定温度を表示する表示部と、
前記設定温度の上昇を指示する第１の入力部と、
前記設定温度の低下を指示する第２の入力部と、
をさらに備え、
前記表示部は、前記第１の温度範囲で、前記第１の入力部が操作されると、前記第１の刻み幅で上昇させた前記設定温度を表示し、前記第１の温度範囲で、前記第２の入力部が押下されると、前記第１の刻み幅で低下させた前記設定温度を表示し、
前記第２の温度範囲で、前記第１の入力部が操作されると、前記第２の刻み幅で上昇させた前記設定温度を表示し、前記第２の温度範囲で、前記第２の入力部が押下されると、前記第２の刻み幅で低下させた前記設定温度を表示する、
請求項２から請求項４の何れか１項に記載のリモコン。
【請求項７】
前記設定温度を表示する表示部と、
前記設定温度の上昇を指示する第１の入力部と、
前記設定温度の低下を指示する第２の入力部と、
をさらに備え、
前記表示部は、前記第１の入力部への操作時間に応じて前記桁決定部が決定した桁の値を１だけ上昇させた前記設定温度を表示し、前記第２の入力部への操作時間に応じて前記桁決定部が決定した桁の値を１だけ低下させた前記設定温度を表示する、
請求項５に記載のリモコン。
【請求項８】
前記設定温度を表示する表示部と、
前記設定温度の上昇を指示する第１の入力部と、
前記設定温度の低下を指示する第２の入力部と、
前記設定温度の桁の選択を指示する第３の入力部と、
をさらに備え、
前記桁決定部は、前記第３の入力部の操作によって選択された桁を設定対象として決定し、
前記表示部は、前記第１の入力部が操作されると、前記桁決定部が決定した桁の値を１だけ上昇させた前記設定温度を表示し、前記第２の入力部が押下されると、前記桁決定部が決定した桁の値を１だけ低下させた前記設定温度を表示する、
請求項５に記載のリモコン。
【請求項９】
請求項１から請求項７の何れか１項に記載のリモコンと、
前記リモコンから送信される指示情報を受信する室内機と、
室外機と、を備える空気調和機。
【請求項１０】
空気調和機のリモコンの制御方法であって、
複数の異なる刻み幅で設定温度の入力を受け付けるステップ、
を有する制御方法。
【請求項１１】
空気調和機のリモコンのコンピュータを、
複数の異なる刻み幅で設定温度の入力を受け付ける手段、
として機能させるためのプログラム。
【発明の詳細な説明】
【技術分野】
【０００１】
本発明は、リモコン、空気調和機、制御方法及びプログラムに関する。
【背景技術】
【０００２】
冷房、暖房のそれぞれにおいて、室内の快適な温度はおおよそ決まっている。ユーザがリモコンを使って室温を設定するときに快適な温度を基準として設定を開始することができれば便利である。特許文献１には、リモコンの設定画面に、過去の操作履歴に基づいてユーザが設定する可能性の高い設定温度の推奨値を表示することにより、ユーザの操作負担を軽減するリモコンが開示されている。
【先行技術文献】
【特許文献】
【０００３】
【特許文献１】特開２０１８−１６９１０１号公報
【発明の概要】
【発明が解決しようとする課題】
【０００４】
さらに快適な温度については、ユーザの好みに応じてより細かな単位で温度設定したいというニーズがある。例えば、暖房時に１９〜２０℃が快適な温度だと感じているユーザの場合、１９℃より高温が好ましいが、２０℃に設定するとやや暑いと感じるような場合がある。あるいは、ユーザのその時々の好みなどによって１９．３℃を快適と感じることもあれば、１９．６℃が快適だと感じることもある。一般に空気調和機の温度設定は、一律に１℃刻みであったり、０．５℃刻みであったりすることが多く、真に快適な温度を設定することが必ずしも容易ではない。
【０００５】
そこでこの発明は、上述の課題を解決することのできるリモコン、空気調和機、制御方法及びプログラムを提供することを目的としている。
【課題を解決するための手段】
【０００６】
本発明の一態様によれば、リモコンは、空気調和機のリモコンであって、複数の異なる刻み幅で設定温度の入力を受け付ける設定受付部、を備える。
【０００７】
本発明の一態様によれば、前記設定受付部は、第１の刻み幅で前記設定温度の入力が可能な第１の温度範囲と、前記第１の刻み幅より細かい第２の刻み幅で前記設定温度の入力が可能な第２の温度範囲と、を定めた設定情報に基づいて、前記設定温度の入力を受け付ける。
【０００８】
本発明の一態様によれば、前記リモコンは、前記第２の温度範囲の設定の入力を受け付ける温度範囲設定部、をさらに備える。
【０００９】
本発明の一態様によれば、前記リモコンは、ユーザの操作履歴に基づいて、前記第２の温度範囲を学習する学習部、をさらに備える。
【００１０】
本発明の一態様によれば、前記リモコンは、前記設定温度を表示する表示部と、ユーザの操作に基づいて、前記表示部に表示された設定温度における設定対象の桁を決定する桁決定部と、をさらに備える。
【００１１】
本発明の一態様によれば、前記リモコンは、前記設定温度を表示する表示部と、前記設定温度の上昇を指示する第１の入力部と、前記設定温度の低下を指示する第２の入力部と、をさらに備え、前記表示部は、前記第１の温度範囲で、前記第１の入力部が操作されると、前記第１の刻み幅で上昇させた前記設定温度を表示し、前記第１の温度範囲で、前記第２の入力部が押下されると、前記第１の刻み幅で低下させた前記設定温度を表示し、前記第２の温度範囲で、前記第１の入力部が操作されると、前記第２の刻み幅で上昇させた前記設定温度を表示し、前記第２の温度範囲で、前記第２の入力部が押下されると、前記第２の刻み幅で低下させた前記設定温度を表示する。
【００１２】
本発明の一態様によれば、前記リモコンは、前記設定温度を表示する表示部と、前記設定温度の上昇を指示する第１の入力部と、前記設定温度の低下を指示する第２の入力部と、をさらに備え、前記表示部は、前記第１の入力部への操作時間に応じて前記桁決定部が決定した桁の値を１だけ上昇させた前記設定温度を表示し、前記第２の入力部への操作時間に応じて前記桁決定部が決定した桁の値を１だけ低下させた前記設定温度を表示する。
【００１３】
本発明の一態様によれば、前記リモコンは、前記設定温度を表示する表示部と、前記設定温度の上昇を指示する第１の入力部と、前記設定温度の低下を指示する第２の入力部と、前記設定温度の桁の選択を指示する第３の入力部と、をさらに備え、前記桁決定部は、前記第３の入力部の操作によって選択された桁を設定対象として決定し、前記表示部は、前記第１の入力部が操作されると、前記桁決定部が決定した桁の値を１だけ上昇させた前記設定温度を表示し、前記第２の入力部が押下されると、前記桁決定部が決定した桁の値を１だけ低下させた前記設定温度を表示する。
【００１４】
本発明の一態様によれば、空気調和機は、上記の何れかに記載のリモコンと、前記リモコンから送信される指示情報を受信する室内機と、室外機と、を備える。
【００１５】
本発明の一態様によれば、制御方法は、空気調和機のリモコンの制御方法であって、複数の異なる刻み幅で設定温度の入力を受け付けるステップ、を有する。
【００１６】
本発明の一態様によれば、プログラムは、空気調和機のリモコンのコンピュータを、複数の異なる刻み幅で設定温度の入力を受け付ける手段、として機能させる。
【発明の効果】
【００１７】
本発明によれば、ユーザにとって快適な温度を効率よく設定することができる。
【図面の簡単な説明】
【００１８】
【図１】本発明の第一実施形態における空気調和機の一例を示す図である。
【図２】本発明の第一実施形態におけるリモコンの一例を示す機能ブロック図である。
【図３】本発明の第一実施形態における温度範囲の設定処理を説明する図である。
【図４】本発明の第一実施形態における温度範囲の設定情報の一例を示す図である。
【図５】本発明の第一実施形態における温度設定時のリモコンの動作の一例を示す図である。
【図６】本発明の第一実施形態における温度設定時の表示例を示す図である。
【図７】本発明の第二実施形態におけるリモコンの一例を示す機能ブロック図である。
【図８】本発明の第二実施形態における温度設定処理を説明する第１の図である。
【図９】本発明の第二実施形態における温度設定処理を説明する第２の図である。
【図１０】本発明の第三実施形態におけるリモコンの一例を示す機能ブロック図である。
【図１１】本発明の第三実施形態における温度範囲の設定処理を説明する図である。
【図１２】本発明の第三実施形態における温度範囲の設定情報の一例を示す図である。
【図１３】本発明の一実施形態におけるリモコンのハードウェア構成の一例を示す図である。
【発明を実施するための形態】
【００１９】
以下、本発明の第一実施形態による空気調和機の温度設定について図１〜図６を参照して説明する。
図１は、本発明の第一実施形態における空気調和機の一例を示す図である。
図１に示すとおり空気調和機１００は、本体１とリモコン４を備える。本体１は、室内機２と室外機３を備える。ユーザがリモコン４で室温を設定すると、リモコン４から室内機２へ、その設定温度が送信され、室内機２と室外機３は連携して、室温がリモコン４を通じて設定された設定温度となるように運転を行う。
【００２０】
リモコン４は、ある温度範囲については、例えば、１℃刻み、あるいは０．５℃刻みで設定温度を変更することができ、別の温度範囲では、例えば、０．１℃刻みに設定温度を変更することができる。これに合わせて、室内機２および室外機３は、全温度範囲について、例えば、０．１℃刻みで指定された設定温度を受け付け、室温が受け付けた設定温度となるように制御することができる。
【００２１】
図２は、本発明の第一実施形態におけるリモコンの一例を示す機能ブロック図である。
リモコン４は、表示部４１と、入力部４２と、入力受付部４３と、制御部４４と、通信部４６と、記憶部４７と、を備える。
表示部４１は、ＬＥＤ（light emitting diode）などの表示装置である。表示部４１には、空気調和機１００の現在の運転について、設定温度や、暖房、冷房の何れを実行中であるか等の情報を表示する。
入力部４２は、図１に例示したボタン４２ａ〜４２ｃなどの操作用ボタンである。
入力受付部４３は、入力部４２に対して行われた操作を受け付ける。例えば、ボタン４２ａが押下されたときには、ボタン４２ａの押下を認識し、その旨を制御部４４へ通知する。
制御部４４は、表示部４１の表示制御や、室内機２への制御情報の送信制御などを行う。制御部４４は、温度範囲設定部４５を備えている。温度範囲設定部４５は、ユーザが入力部４２を操作して設定した、細かい刻み幅で設定できる温度範囲の上限値と下限値を記憶部４７に登録する。
通信部４６は、制御部４４の指示に基づいて、制御情報を室内機２へ送信する。制御情報とは、例えば、起動、停止、暖房、冷房、設定温度などを指示する情報である。
記憶部４７は、細かい刻み幅で設定できる温度範囲の上限値と下限値などの設定情報を記憶する。
【００２２】
なお、リモコン４は、空気調和機１００の専用リモコンでなくてもよい。例えば、空気調和機１００を操作するためのアプリケーションを実装したスマートフォン等の情報処理装置であってもよい。また、リモコン４は、携帯端末ではなく、壁などに固定して設置されたものでもよい。また、入力部４２は、ハードウェアボタンに限らず、表示部４１と一体的に構成されたタッチパネルであってもよい。
【００２３】
次に冷房および暖房について温度範囲を設定する処理を説明する。
図３は、本発明の第一実施形態における温度範囲の設定処理を説明する図である。
リモコン４には、表示部４１と、温度設定用のボタン４２ａ、４２ｂ、４２ｃが設けられている。リモコン４には、これ以外にも起動・停止など様々な操作に用いる図示しないボタンが設けられていてもよい。ユーザが、ボタン４２ｃを押下すると、入力受付部４３がその操作を受け付け、制御部４４が、室内温度を設定するための動作モード（室温設定モード）と、刻み幅を設定するための動作モード（温度範囲設定モード）を切り替える。また、制御部４４は、例えば、温度範囲設定モードに切り替える場合、温度範囲設定モード用の画面を表示部４１に表示する。
【００２４】
温度範囲設定モードの場合、制御部４４は、所定の標準刻み幅（例えば、１℃）よりも細かい刻み幅（例えば、０．１℃）で温度が指定できる範囲を登録するための設定画面を表示部４１に表示する。例えば、制御部４４は、暖房の場合に細かい刻み幅で設定する温度範囲の上限値と下限値、刻み幅の入力を促す画面を表示する（図３）。上限値と下限値には、予め適切な上限値、下限値、刻み幅の初期値、例えば、上限値２０℃、下限値１８℃、刻み幅０．１℃などが表示される。ユーザは、自分の好みに合わせて、上限値２０℃を２１℃に変更したり、１９℃に変更したりする。温度範囲設定モードに切り替えられた状態で、ユーザが、ボタン４２ｃを押下すると、制御部４４は、ユーザの操作による設定対象を、上限値、下限値、刻み幅の順に移動させる。制御部４４は、設定対象の数値を点滅表示させてもよい。設定対象を上限値に切り替えたうえでユーザがボタン４２ａを押下すると、２０℃が２１℃に上昇する。この場合の上昇の程度は、例えば、標準刻み幅と同じに設定されている。同様に設定対象を下限値に切り替えたうえでユーザがボタン４２ｂを押下すると、１８℃が１７℃に低下する。また、設定対象を刻み幅に切り替えたうえでユーザがボタン４２ａを押下すると、０．１℃が０．２℃に上昇する。この場合の上昇の程度は、例えば、リモコン４にて設定可能な最小の刻み幅（例えば、０．１℃）と同じに設定されている。
【００２５】
暖房時の刻み幅の設定後、再び、ボタン４２ｃを押下すると、冷房の場合について細かい刻み幅で温度の指定ができる温度範囲の上限値、下限値、刻み幅の入力を促す内容が表示される。上限値、下限値、刻み幅には、例えば、上限値２８℃、下限値２６℃、刻み幅０．１℃などの初期値が表示される。ユーザは、自分の好みに合わせて、ボタン４２ａ、４２ｂ、４２ｃを操作することにより、冷房時の上限値と下限値、刻み幅を変更する。
【００２６】
冷房時と暖房時の温度範囲、刻み幅の設定が完了し、ユーザが再びボタン４２ｃを押下すると、制御部４４は、表示部４１の表示内容や各ボタンの動作内容を室温設定モードのものに切り替える。それと同時に温度範囲設定部４５は、温度範囲設定モードで設定された情報を記憶部４７へ登録する。次に記憶部４７に登録された温度範囲の設定情報について説明する。
【００２７】
図４は、本発明の第一実施形態における温度範囲の設定情報の一例を示す図である。
記憶部４７には、設定温度の刻み幅を変更する温度範囲を設定した第１設定テーブルが登録されている。
図４に示す登録例では、冷房の温度を設定する場合には、２６〜２８℃の間にて０．１℃刻みで室温の設定が可能である。暖房の温度を設定する場合には、１８〜２０℃の間にて０．２℃刻みで室温の設定が可能である。
【００２８】
次に室温設定モードでボタン４２ａ〜４２ｃが押下されたときの動作について説明する。室温設定モードの場合、制御部４４は、現在の運転モード（冷房、暖房）と設定温度とを表示部４１に表示する。ユーザがボタン４２ａを押下すると、制御部４４は、第１設定テーブルに登録された温度範囲と刻み幅に基づいて、現在表示されている設定温度を変更する。
【００２９】
例えば、第１設定テーブルに設定されていない温度範囲、つまり、刻み幅が標準の１℃に設定されている温度範囲では、ユーザがボタン４２ａを押下すると、表示部４１に表示された設定温度が１℃上昇する。ボタン４２ｂを押下すると、設定温度は１℃低下する。また、第１設定テーブルに設定された温度範囲でユーザがボタン４２ａを押下すると、設定温度は、設定された刻み幅だけ上昇する。ボタン４２ｂを押下すると、設定された刻み幅だけ低下する。より具体的には、制御部４４は、図５に示す手順によって設定温度を変更する。
【００３０】
図５は、本発明の第一実施形態における温度設定時のリモコンの動作の一例を示す図である。
冷房または暖房運転中にボタン４２ａ、４２ｂが押下された場合、その操作は、現在の設定温度に対する変更指示として受け付けられるとする。また、事前に図４に例示する第１設定テーブルが記憶部４７に登録されているとする。
まず、空気調和機１００の運転中にユーザが、ボタン４２ａまたはボタン４２ｂを押下する。すると、入力受付部４３が、この温度変更の指示操作の入力を受け付ける（ステップＳ１１）。入力受付部４３は、押下されたボタンの情報を制御部４４へ出力する。制御部４４は、押下されたボタンの種類に応じて、設定温度を上昇させるか低下させるかを判定する。
【００３１】
次に制御部４４は、図４に例示する第１設定テーブルを参照して、現在の設定温度が第１設定テーブルに設定された温度範囲か否かを判定する（ステップＳ１２）。例えば、現在、暖房運転中であれば、制御部４４は、図４の第１設定テーブルを参照して、暖房について設定された温度範囲１８〜２０℃の情報を取得し、現在の設定温度と、取得した温度範囲とを比較する。
【００３２】
範囲外の場合（ステップＳ１２；Ｎｏ）、制御部４４は、現在の設定温度から標準刻み幅（例えば、１℃）だけ上昇または低下させた設定温度を算出する（ステップＳ１３）。例えば、現在の設定温度が２１℃で、ステップＳ１１で受け付けた指示操作がボタン４２ｂ（低下）であれば、制御部４４は、変更後の設定温度２０℃を算出する。制御部４４は、算出した設定温度「２０℃」を表示部４１に表示する。
【００３３】
範囲内の場合（ステップＳ１２；Ｙｅｓ）、制御部４４は、第１設定テーブルを参照して、現在の運転モード（冷房、暖房）に応じた刻み幅を取得する（ステップＳ１４）。例えば、現在、暖房運転を行っている場合、制御部４４は、刻み幅０．２℃を取得する。
【００３４】
次に制御部４４は、現在の設定温度から刻み幅だけ上昇または低下させた設定温度を算出する（ステップＳ１５）。例えば、現在の設定温度が１９℃で、ステップＳ１１で受け付けた指示操作がボタン４２ａ（上昇）であれば、制御部４４は、変更後の設定温度１９．２℃を算出する。制御部４４は、算出した設定温度「１９．２」を表示部４１に表示する。
【００３５】
制御部４４は、新たに指定された設定温度を表示部４１に表示すると、通信部４６に設定温度の送信を指示する。通信部４６は、変更後の設定温度を室内機２へ送信する。室内機２は、この変更指示情報を受信し、室温が、変更後の設定温度となるよう室外機３と連携して空調制御を行う。
【００３６】
図６は、本発明の第一実施形態における温度設定時の表示例を示す図である。
図６に表示部４１が表示する温度設定画面の一例を示す。制御部４４は、表示部４１の上領域に設けられた設定温度の表示欄に現在の設定温度１９．８℃を表示し、表示部４１の下領域に設けられた温度表示バーの対応する温度に三角印を表示する。図６の表示例では、第１設定テーブルに設定した温度範囲が０．１℃刻みで設定可能になっている（刻み幅の設定が０．１℃の場合）。例えば、温度表示バーの１８〜２０℃の範囲では０．１℃刻みで目盛りが表示され、それ以外の範囲では１℃刻みで目盛りが表示される。
例えば、ユーザが、１８〜２０℃の範囲でボタン４２ａを押下すると、制御部４４は、現在の設定温度より０．１℃高い温度を設定温度の表示欄に表示し、それに合わせて温度表示バーの三角印の位置を１目盛り分（０．１℃）右へ移動して表示する。
また、例えば、２０℃以上の範囲で、ユーザがボタン４２ａを押下すると、制御部４４は、現在の設定温度より１℃高い温度を設定温度の表示欄に表示し、設定温度バーの対応する温度に三角印を表示する。
このような表示であれば、ユーザは、細かい刻み幅で温度の指定が可能な温度範囲を容易に把握することができる。
【００３７】
一般的に空気調和機の温度設定は、一律に１℃刻みや０．５℃刻みでしか設定できないことが多い。その為、ユーザにとって真に快適な設定温度が、刻み幅に挟まれた温度である場合、ユーザは、快適な設定温度を設定することができない。これに対し、本実施形態のリモコン４によれば、より細かな刻み幅で設定温度を指定できるので、ユーザは、正確に最適な設定温度を設定することができる。また、その時の外気温や体調により、設定温度の微調整ができる。
【００３８】
また、細かな刻み幅を指定する温度範囲を任意に設定することにより、温度範囲を限定することができるので、ユーザは効率的に真に快適な温度を設定することができる。例えば、夏場に一時的に強めに冷却する目的で通常の快適温度よりも大幅に低い設定温度を指定するような場合でも、０．１℃刻みで温度を低下させなければならないような煩わしさが無く、ユーザの操作性を損なうことが無い。
【００３９】
なお、上記の例では、ユーザが温度範囲を設定できることとしたが、例えば、空気調和機１００の設置時などに作業員が図４の第１設定テーブルを記憶部４７へ登録し、ユーザによる設定を不可としてもよい。この場合、設定用のボタン４２ｃを省略することができる。
【００４０】
＜第二実施形態＞
以下、本発明の第二実施形態による設定温度の設定方法について図７〜図９を参照して説明する。
第一実施形態では、予め刻み幅を変更する温度範囲を設定した。第二実施形態では、温度範囲の設定を行うことなく、任意の温度において０．１℃刻みの温度設定を可能とする。以下、本発明の第二実施形態に係る構成のうち、本発明の第一実施形態と同じ構成、処理には同じ符号を付し、それらの説明を省略する。
【００４１】
図７は、本発明の第二実施形態におけるリモコンの一例を示す機能ブロック図である。
リモコン４ａの制御部４４ａは、温度範囲設定部４５に代えて、桁決定部４８を備えている。桁決定部４８は、入力受付部４３が受け付けた操作に応じて、設定する温度の桁を決定する。例えば、桁決定部４８は、ボタン４２ａを押下されたときに１の桁を上昇させるのか、小数点以下の桁を上昇させるのかを決定する。
【００４２】
図８は、本発明の第二実施形態における温度設定処理を説明する第１の図である。
図８は、暖房運転時のリモコン４ａにおける表示部４１の表示例を示している。制御部４４ａは、桁決定部４８が決定した設定対象の桁に所定の目印を表示する。図８の表示例では、下線や三角形が目印である。なお、目印の表示態様は、図８の例に限定されない。また、この例では、ボタン４２ｃは、設定対象の桁を指定するためのボタンである。
【００４３】
図８左図の表示例では、１の位が設定対象の桁である。この表示状態で、ユーザがボタン４２ａを押下すると、入力受付部４３がこの操作を受け付け、ボタン４２ａの押下を制御部４４ａへ通知する。制御部４４ａは、１の位を１つ増加させて、表示部４１に「２１．０」と表示する。
【００４４】
また、図８左図の表示状態において、ユーザがボタン４２ｃを押下すると、入力受付部４３がこの操作を受け付け、ボタン４２ｃの押下を制御部４４ａへ通知する。制御部４４ａでは、桁決定部４８が、設定対象の桁を１の位から小数点以下の位へと変更する。この変更を受けて、制御部４４ａは、表示部４１における設定対象の桁を示す目印を、小数点以下の位へと移動する（図８右図）。
【００４５】
次に図８右図の表示状態で、ユーザがボタン４２ａを押下すると、入力受付部４３がこの操作を受け付け、ボタン４２ａの押下を制御部４４ａへ通知する。制御部４４ａは、小数点以下位を１つ増加させて、表示部４１に「２０．１」と表示する。
【００４６】
また、図８右図の表示状態において、ユーザがボタン４２ｃを押下すると、入力受付部４３がこの操作を受け付け、ボタン４２ｃの押下を制御部４４ａへ通知する。制御部４４ａでは、桁決定部４８が、設定対象の桁を小数点以下の位から１の位へと変更する。この変更を受けて、制御部４４ａは、表示部４１における設定対象の桁を示す目印を、１の位へと移動する（図８左図）。
【００４７】
設定が完了すると制御部４４ａは、新たに指定された設定温度を通信部４６へ出力する。通信部４６は、新たな設定温度を室内機２へ送信する。室内機２は、この変更指示情報を受信し、空調制御を行う。
【００４８】
図８の例では、桁設定用のボタン４２ｃを用いたが、桁設定用のボタン４２ｃは省略することもできる。図９にボタン４２ａ、４２ｂのみで桁を選択しながら、温度設定を行う例を示す。
【００４９】
図９は、本発明の第二実施形態における温度設定処理を説明する第２の図である。
図９は、暖房運転時のリモコン４ａにおける表示部４１の表示例を示している。
図９左上図の表示例では、設定温度は、１９．８℃である。この表示状態で、ユーザがボタン４２ａを１回押下する。すると、入力受付部４３がこの操作を受け付け、ボタン４２ａの押下を制御部４４ａへ通知する。制御部４４ａでは、桁決定部４８が、ボタン４２ａの１回の短時間の押下が検出されたことに基づき、設定対象の桁を小数点以下の位に決定する。この決定に基づいて、制御部４４ａは、現在の設定温度から０．１℃だけ上昇させた１９．９℃を表示部４１に表示する（図９上右図）。なお、ボタン４２ａが2回連続して短時間だけ押下された場合、制御部４４ａは、設定温度を０．２℃上昇させる。
【００５０】
次に、図９上右図の表示状態において、ユーザがボタン４２ａをしばらく押下し続ける。すると、入力受付部４３がこの操作を受け付け、ボタン４２ａの押下が継続している間、所定の時間間隔でボタン４２ａの押下を制御部４４ａへ通知し続ける。制御部４４ａでは、桁決定部４８が、ボタン４２ａが継続して押下された時間を計測し、この時間が閾値を超えると、設定対象の桁を１の位に決定する。この決定に基づいて、制御部４４ａは、現在の設定温度から１．０℃だけ上昇させた２０．９℃を表示部４１に表示する（図９下左図）。
【００５１】
ユーザによるボタン４２ａの押下がその後も続く場合、制御部４４ａは、所定時間が経過するごとに、表示部４１に表示される設定温度を１℃ずつ上昇させる。
【００５２】
ユーザがボタン４２ａの押下を止め、その後、ボタン４２ａを１回短時間だけ押下すると、桁決定部４８は、押下された時間が閾値以下であることに基づいて、設定対象の桁を小数点以下の位に決定する。制御部４４ａは、現在の設定温度から０．１℃だけ上昇させた２１．０℃を表示部４１に表示する（図９下右図）。このように、ボタン４２ｃを省略してもユーザの操作性を損なうことなく、必要に応じて０．１℃刻みの温度設定が可能である。
【００５３】
本実施形態によれば、予め温度範囲を設定すること無く、任意の温度にて、細かい刻み幅で設定温度を設定することができる。
なお、第一実施形態と第二実施形態を組み合わせ、第１設定テーブルに登録した温度範囲であっても、ユーザがボタン４２ａ、４２ｂを長押しした場合には、１℃刻みで設定温度の表示を変更するように制御してもよい。
【００５４】
＜第三実施形態＞
以下、本発明の第三実施形態による設定温度の設定方法について図１０〜図１２を参照して説明する。
第三実施形態に係るリモコン４ｂは、ユーザの操作履歴に基づいて、ユーザにとって快適な温度範囲を推定し、その温度範囲では、細かい刻み幅での温度設定を可能とする。以下、本発明の第三実施形態に係る構成のうち、本発明の第一実施形態、第二実施形態と同じ構成、処理には同じ符号を付し、それらの説明を省略する。
【００５５】
図１０は、本発明の第三実施形態におけるリモコンの一例を示す機能ブロック図である。
リモコン４は、制御部４４に温度範囲設定部４５ｂを備え、さらに学習部４９を備えている。
学習部４９は、ユーザの操作履歴に基づいて、ユーザにとっての快適な温度範囲を学習する。
温度範囲設定部４５ｂは、学習部４９が学習した温度範囲に対して、例えば０．１℃刻みでの温度設定が可能なように、図１２に例示する第２設定テーブルを記憶部４７へ登録する。
【００５６】
図１１は、本発明の第三実施形態における温度範囲の設定処理を説明する図である。
なお、記憶部４７には、第一実施形態で例示した第１設定テーブルが登録されていて、空気調和機１００は、所定の温度範囲について０．１℃刻みの設定が可能な状態で運転されているとする。
ユーザが空気調和機１００を利用する度に、制御部４４は、ユーザが設定した設定温度、その時の運転モード（冷房、暖房）、その設定温度で運転された日時（開始時刻と終了時刻）を記憶部４７へ記録する（ステップＳ２１）。
【００５７】
次に学習部４９が、所定のタイミング（例えば、１週間ごと等）で、記憶部４７に記録された設定温度等の履歴を運転モード別に集計する。学習部４９は、設定温度の小数点以下を切り捨てて、あるいは四捨五入して設定温度を集計してもよい。学習部４９は、利用が集中する設定温度を特定し、初期温度と温度範囲を算出する（ステップＳ２２）。利用が集中する設定温度とは、例えば、その設定温度で運転されている時間が最も長いものをいう。
【００５８】
例えば、暖房時にユーザの設定が、１９〜２０℃の設定温度に集中している場合、１９〜２０℃の間にユーザにとっての快適な温度が存在する可能性がある。この場合、学習部４９は、暖房運転に対する０．１℃の刻み幅で温度を指定できる温度範囲を１９〜２０℃と設定する。また、例えば、１９℃に設定して運転した時間の方が長ければ、学習部４９は、初期温度を１９℃と決定する。
【００５９】
あるいは、設定温度の履歴を運転モード別、運転時間別に集計した結果、朝方や夜の時間帯では、１９℃に設定して運転している時間が少なく、２０．２℃に設定して運転している時間が一番長く、次に２１℃前後に設定して運転している時間が長い場合には、当該時間帯（例えば、５：００〜９：００、１７：００〜２４：００）については、０．１℃の刻み幅で温度を指定できる温度範囲を２０〜２１℃と設定する。また、学習部４９は、運転時間の長さに基づいて、初期温度を２０．２℃と決定する。
【００６０】
また、日中の時間帯（例えば、９：００〜１７：００）では、１９℃の設定で運転する時間が最も長い場合、当該時間帯について０．１℃の刻み幅で温度を指定できる温度範囲を、１９℃を中心とする１８℃〜２０℃と設定する。また、学習部４９は、初期温度を１９℃と決定する。
【００６１】
次に温度範囲設定部４５ｂが、学習部４９が算出した初期温度と温度範囲を記憶部４７に登録する（ステップＳ２３）。温度範囲設定部４５ｂによって登録される設定情報（第２設定テーブル）の一例を図１２に示す。
【００６２】
図１２は、本発明の第三実施形態における温度範囲の設定情報の一例を示す図である。
図１２に示す第２設定テーブルでは、５：００〜９：００、１７：００〜２４：００の時間帯については、初期温度が２０．２℃で、０．１の刻み幅を適用する温度範囲が２０〜２１℃であることを示している。同様に、９：００〜１７：００の時間帯については、初期温度が１９℃で、０．１の刻み幅を適用する温度範囲が１８〜２０℃であることを示している。
【００６３】
図示を省略するが、第２設定テーブルには、学習部４９が、冷房運転時における設定温度等の履歴情報に基づいて算出した初期温度と温度範囲も設定される。また、図１２に例示する時間帯の区分は一例であってこれに限定されるものではない。
【００６４】
第２設定テーブルの登録後は、制御部４４は、第２設定テーブルに設定された情報に基づいてリモコン４ｂの動作を制御する。例えば、ユーザが、暖房運転を開始する場合、その時の時刻に応じて、第二設定テーブルに設定された初期温度を表示部４１に表示する。例えば、図１２に例示する登録例に基づいて１８：００に暖房を開始する場合、制御部４４は、２０．２℃と表示部４１に表示する。また、刻み幅については、制御部４４は、第１設定テーブル（図４）に設定された刻み幅で設定温度の表示を変更してもよい。
【００６５】
本実施形態によれば、ユーザの操作履歴に基づいて、ユーザにとって快適な温度が含まれる温度範囲を推定する。また、推定した温度範囲について、０．１℃等の細かい刻み幅で温度を指定できるようになる。これにより、例えば、第１設定テーブルの設定された温度範囲が、本来、ユーザが希望している温度とずれているような場合であっても、ユーザのニーズに合った温度範囲で、設定温度の微調整を行うことが可能になる。
【００６６】
また、例えば、第２設定テーブルの登録後も、第２設定テーブルに設定された温度範囲以外の温度を多く使用するようになった場合には、当該温度の周辺が、細かい刻み幅での温度設定が可能となるため、ユーザの好みが変化した場合にも対応が可能である。
【００６７】
また、学習部４９が図１１の処理を行って温度範囲を更新するタイミングは、ユーザの操作により任意に設定できてもよいし、ユーザの操作によって即時に実行されてもよい。これにより、第２設定テーブルの設定内容を任意のタイミングで更新することができる。
【００６８】
なお、第２設定テーブルの登録後も、例えば、桁選択用のボタンを別途設けて、当該ボタンによって、第２設定テーブルに設定された温度範囲以外で、細かな刻み幅で設定温度を設定できるようにしてもよい。
【００６９】
図１３は、本発明の一実施形態におけるリモコンのハードウェア構成の一例を示す図である。
コンピュータ９００は、ＣＰＵ９０１、主記憶装置９０２、補助記憶装置９０３、入出力インタフェース９０４、通信インタフェース９０５を備える。コンピュータ９００は、ＣＰＵ９０１に代えて、ＭＰＵ（Micro Processing Unit）などのプロセッサを備えていてもよい。
上述のリモコン４、４ａ、４ｂは、コンピュータ９００に実装される。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。
【００７０】
なお、リモコン４、４ａ、４ｂの全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行しても良い。また、上記プログラムは、前述した機能の一部を実現するためのものであっても良く、さらに前述した機能をコンピュータシステムにすでに記録されているプログラムとの組み合わせで実現できるものであってもよい。
【００７１】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
ボタン４２ａ、４２ｂ、４２ｃは、第１の入力部、第２の入力部、第３の入力部の一例である。第１設定テーブルや第２設定テーブルに設定された温度範囲は、第２の温度範囲の一例である。第１設定テーブルに設定された刻み幅は、第２の刻み幅の一例である。標準刻み幅は第１の刻み幅の一例である。入力受付部４３および制御部４４は、設定受付部の一例である。
【符号の説明】
【００７２】
１００・・・空気調和機
１・・・本体
２・・・室内機
３・・・室外機
４、４ａ、４ｂ・・・リモコン
４１・・・表示部
４２・・・入力部
４３・・・入力受付部
４４・・・制御部
４５・・・温度範囲設定部
４６・・・通信部
４７・・・記憶部
４８・・・桁決定部
４９・・・学習部
４２ａ、４２ｂ、４２ｃ・・・ボタン
９００・・・コンピュータ
９０１・・・ＣＰＵ、
９０２・・・主記憶装置、
９０３・・・補助記憶装置、
９０４・・・入出力インタフェース
９０５・・・通信インタフェース
【図１】
2020143839.tif 000003
【図２】
2020143839.tif 000004
【図３】
2020143839.tif 000005
【図４】
2020143839.tif 000006
【図５】
2020143839.tif 000007
【図６】
2020143839.tif 000008
【図７】
2020143839.tif 000009
【図８】
2020143839.tif 000010
【図９】
2020143839.tif 000011
【図１０】
2020143839.tif 000012
【図１１】
2020143839.tif 000013
【図１２】
2020143839.tif 000014
【図１３】
2020143839.tif 000015